(57)【特許請求の範囲】
【請求項１】
一端に円形の頭部を有し、頭部上面に略四角形の凸状突起を直径方向に沿って設け、頭部下面の中心から頭部の中心軸に沿って頭部と反対方向に垂直に伸び、頭部側と反対側の端に先鋭状の先端とした回転軸針を設け、頭部下面の回転軸針の接続部を中心とした円周上に、２本の頭部と反対側の端が先鋭端なる係止針を設け、該係止針は回転軸針を対称軸として頭部下面に対し、同じ傾斜角となり、且つ隣り合う係止針の中心軸と頭部下面の接点間の距離と隣り合う係止針の先鋭端の距離がほぼ等しく、係止針の先鋭端から頭部下面までの距離が回転軸針の先鋭状の先端から頭部下面までの距離よりも短いこととしたことを特徴とする、軟質壁面用係止鋲。
【発明の詳細な説明】
【０００１】
【発明の属する技術分野】
本発明は石膏ボード等の脆弱な壁面下地に対し、各種ポスター、カレンダー、額縁等を係止するために用いる係止鋲に関する。
【０００２】
【従来の技術】
石膏ボード等の脆弱な壁面下地材が使用された、建築物の壁面に各種ポスター、カレンダー、額縁等を係止する場合、公知の画鋲や釘、または実開平２−１２１９９４のように画鋲の針を複数本設けたものや、実公平３−１９７９９のように樹脂製の固定具に細釘を３本以上斜めに貫通させて固定させる方法などが提案されている。
【０００３】
【発明が解決しようとする課題】
しかしながら、該下地材は脆弱なため、公知の画鋲や釘ではすぐに緩んで十分な係止効果を得られず、すぐに脱落してしまう。
また、実開平２−１２１９９４のように、画鋲の針を複数本設けたとしても、該下地材が脆弱な場合、下地材に対して垂直に打たれた針はほとんど係止効果をもたず、針の本数をいくら増やしたとしても、すぐに緩んで脱落してしまう。
これらの問題を解決するために、実公平３−１９７９９などの固定具が提案されているが、取り付ける際に、複数の釘を小さな樹脂製の固定具の小さな穴に差し込むといった複雑な作業をしなければならず、部品点数も多い為、手の届きにくい、高所などへの取りつけ作業は非常に困難であった。
そこで、本発明の課題は石膏ボード等の脆弱な壁面下地材が使用された建築物の壁面に、誰もが簡単に、各種ポスター、カレンダー、額縁等を係止でき、しかも強力な係止力を得られ、取り外した後も壁面の美観を損ねるような大きな取付跡を残さない、軟質壁面用係止鋲を提供することにある。
【０００４】
【課題を解決するための手段】
上記のような課題を解決するため、請求項１の発明は、一端に円形の頭部を有し、頭部上面に略四角形の凸状突起を直径方向に沿って設け、頭部下面の中心から頭部の中心軸に沿って頭部と反対方向に伸び、その端が先鋭状の先端をした針を設け、その針を回転軸針とし、回転軸針と頭部下面の接続部を中心とした頭部下面の円周上に、その端が先鋭状となる先端をした針を２本、等間隔に回転軸針を対称軸として頭部下面に対し同じ傾斜角をもって設け、この針を係止針とし、隣り合う係止針の中心軸と頭部下面の接点間の距離と隣り合う係止針の先鋭端の距離がほぼ等しく、係止針の先鋭端から頭部下面までの距離が回転軸針の先鋭状の先端から頭部下面までの距離よりも短いこととした、構成を採用したものである。
【０００５】
【発明の実施の形態】
以下、この発明の実施の形態を図示例と共に説明する。図１から図３に示すように、係止鋲１は、一端に大径の円形の頭部２を有し、頭部上面３に略四角形の突起１３が頭部上面３の直径方向に沿って設けてあり、そして、頭部下面４の中心から頭部の中心軸５に沿って頭部と反対方向に伸び、頭部と反対方向の端が先鋭状の先端７とした回転軸針６を設け、針と頭部下面の接続部８を中心とした頭部下面４の円周上９に、頭部と反対方向の端が先鋭状の先端をした、係止針１０、１０′を等間隔に、回転軸針６を対称軸として頭部下面４に対し同じ傾斜角をもって設けてある。また、係止針１０、１０′の先鋭端から頭部下面４までの距離Ｌ２が、回転軸針６の先鋭状の先端７から頭部下面４までの距離Ｌ１よりも短く成形してある。そして、隣合う係止針１０、１０′の中心軸と頭部下面の接点１２、１２′間の距離と、隣合う係止針の先鋭状の先端１１、１１′間の距離がほぼ等しく成形してある。
【０００６】
本発明の係止鋲は上記のような構成であり、石膏ボード等に各種ポスター等を取り付けるには図４（Ａ）に示すように、係止鋲１の略四角形の突起１３を手で持ち、回転軸針６の先鋭状の先端７をポスター１５と石膏ボード１４に押し付けながら突き刺す。また、回転軸針６が突き刺されると次に、係止針１０、１０′の先鋭状の先端１１、１１′が回転軸針６を対称軸として同じ角度で斜めに、ポスター１２と石膏ボード１４に押し込まれていく。さらに回転軸針６を押し込むと、係止針１０、１０′は頭部下面３の円周上９に回転軸針６を対称軸として頭部下面４に対し同じ傾斜角をもって設けてある為、回転軸針６を回転軸として、ポスター１５と石膏ボード１４に回転しながら斜めに押し込まれていき、頭部下面４がポスター１５と石膏ボード１４と圧着した時点で作業は終了する。この際、係止針１０、１０′は回転軸針６を対称軸として石膏ボード１４に斜めに押し込まれている為、石膏ボード１４に対する、大きな、引抜き強度とせん断強度が得られる。
【０００７】
また、係止鋲１の略四角形の突起１３は取り付けた後の美観上、ハート形やアニメのキャラクターの姿であってもよいし、頭部上面３を指で押し付けて作業出来るように、頭部上面３の中心部に突起ではなく凹状の窪みがあってもよい。
【０００８】
そして、張られたポスター１５を石膏ボード１４から外す時は、係止鋲１の略四角形の突起１３を取付け時の回転方向と反対方向に回転させながら、係止鋲１を石膏ボード１４から引抜いて取り外せば、係止鋲１が取り外された後の石膏ボード１４には回転軸針６と係止針１０、１０′の針穴しか残らず、取外し後の石膏ボード壁面の美観はほとんど損なわれない。
【０００９】
【発明の効果】
以上のように、この発明によると、係止鋲の一端に円形の頭部を有し、頭部上面に略四角形の凸状の突起を直径方向に沿って設け、頭部下面の中心から頭部の中心軸に沿って頭部と反対方向に垂直に伸び、頭部側と反対側の端が先鋭状の先端をした回転軸針を設け、回転軸針と頭部下面の接続部を中心とした頭部下面の円周上に、２本の頭部側と反対側の端が先鋭状の先端をした係止針を等間隔に、回転軸針を対称軸として頭部下面に対し同じ傾斜角をもって設け、係止針の先鋭端から頭部下面までの距離が、回転軸針の先鋭状の先端から頭部下面までの距離よりも短く成形することによって、石膏ボード等の脆弱な壁面下地材が使用された建築物の壁面に、手間をかけずに、各種ポスター、カレンダー、額縁等を係止出来るとともに、取付後も強力な係止力を維持する事が出来る。また、取り外した後も、壁面に美観を損ねるような大きな取付跡を残さず、取り外すことが出来る。
【図面の簡単な説明】
【図１】軟質壁面用係止鋲の斜視図
【図２】軟質壁面用係止鋲の正面図
【図３】軟質壁面用係止鋲の底面図
【図４】軟質壁面用係止鋲の使用状況図
【図５】従来例
【図６】従来例
【符号の説明】
１  軟質壁面用係止鋲
２  頭部
３  頭部上面
４  頭部下面
５  中心軸
６回転軸針
７先鋭状の先端
８  接続部
９  頭部下面の円周
１０  係止針
１１  係止針の先鋭状の先端
１２  接点
１３  突起
１４  石膏ボード
１５  ポスター
【図１】
0003855094.tif 000002
【図２】
0003855094.tif 000003
【図３】
0003855094.tif 000004
【図４】
0003855094.tif 000005
【図５】
0003855094.tif 000006
【図６】
0003855094.tif 000007